(57)【特許請求の範囲】
【請求項１】
パネル部と、
印刷データに基づいて色材による画像を転写するプリンター部と、
前記プリンター部によって転写されたトナー画像を用紙に定着させる定着部と、
第１の搬送路上に設けられ、排出先が制限されている前記用紙を排出する第１の排出先と、
前記第１の搬送路よりも曲部が多い第２の搬送路上に設けられた第２の排出先と、
用紙を縦向き又は横向きで収容可能な給紙カセットと、
前記定着部でトナー画像が定着された前記用紙を、前記第１の排出先又は前記第２の排出先に搬送させるシステム制御部とを備え、
前記システム制御部は、印刷時での設定が排出先の制限されている前記用紙であり、さらに同じ用紙タイプで横向きである場合であって、前記第１の排出先からの排出が不可能であるとき、前記パネル部に警告を表示させ、前記パネル部を介して前記警告の解除を受け付けると、前記印刷時に設定された前記用紙を収容している前記給紙カセットを選択し、前記定着部でトナー画像が定着された前記用紙を、前記第２の排出先に搬送させる
ことを特徴とする画像形成装置。
【請求項２】
印刷可能データを受信する通信制御部を備え、
前記プリンター部は、前記印刷可能データに基づくトナー画像を転写し、
前記システム制御部は、前記受信された印刷可能データを印刷する際、印刷時での設定が排出先の制限されている前記用紙であり、さらに同じ用紙タイプで横向きである場合であって、前記第１の排出先からの排出が不可能であるとき、前記パネル部に前記警告とともに前記警告を解除するボタンとを表示させ、前記警告を解除するボタンが押下されたら、前記印刷時に設定された前記用紙を収容している前記給紙カセットを選択し、前記定着部でトナー画像が定着された前記用紙を、前記第２の排出先に搬送させる
ことを特徴とする請求項１に記載の画像形成装置。
【請求項３】
原稿画像を読み取るスキャナー部を備え、
前記プリンター部は、前記原稿画像に基づく前記トナー画像を転写し、
前記システム制御部は、読み取られた前記原稿画像を印刷する際、印刷時での設定が排出先の制限されている前記用紙であり、さらに同じ用紙タイプで横向きである場合であって、前記第１の排出先からの排出が不可能であるとき、前記パネル部に前記警告とともに前記警告を解除するボタンとを表示させ、前記警告を解除するボタンが押下されたら、スタートキーの押下を受け付けた後、前記印刷時に設定された前記用紙を収容している前記給紙カセットを選択し、前記定着部でトナー画像が定着された前記用紙を、前記第２の排出先に搬送させる
ことを特徴とする請求項１または２に記載の画像形成装置。
【請求項４】
画像処理部を備え、
前記システム制御部は、印刷時での設定が排出先の制限されている前記用紙であり、さらに同じ用紙タイプで横向きである場合であって、前記第１の排出先からの排出が不可能であるとき、
前記印刷時に設定された前記用紙を収容している前記給紙カセットが無い場合、前記印刷時に設定された用紙サイズより大きく、かつ同じ用紙タイプの前記用紙を収容している前記給紙カセットを選択し、
前記印刷データが１頁分であれば前記画像処理部に対し、前記用紙の１頁に前記印刷データの１頁分の印刷が行われるように画像処理させ、前記印刷データが２頁分以上であれば前記用紙の１頁につき前記印刷データの２頁分の印刷が行われるように画像処理させ、
前記定着部でトナー画像が定着された前記用紙を、前記第１の排出先に搬送させる
ことを特徴とする請求項１〜３のいずれかに記載の画像形成装置。
【請求項５】
前記システム制御部は、印刷時での設定が排出先の制限されている前記用紙であり、さらに同じ用紙タイプで横向きである場合であって、前記第１の排出先からの排出が不可能であるとき、
前記印刷時に設定された用紙サイズより大きく、かつ同じ用紙タイプの前記用紙を収容している前記給紙カセットが無い場合、
前記印刷時に設定された用紙サイズ及び用紙タイプが同じである前記用紙を縦向きに収容している前記給紙カセットを選択し、
前記画像処理部に対して縦向きの前記用紙に印刷が行われるように画像処理させ、前記定着部でトナー画像が定着された前記用紙を、前記第１の排出先に搬送させる
ことを特徴とする請求項４に記載の画像形成装置。
【発明の詳細な説明】
【技術分野】
【０００１】
本発明は、排出先が制限されている用紙の搬送に適した画像形成装置に関する。
【背景技術】
【０００２】
プリンター、多機能プリンター、複合機などのＭＦＰ（Ｍｕｌｔｉｆｕｎｃｔｉｏｎ  Ｐｅｒｉｐｈｅｒａｌ）である画像形成装置においては、普通紙、封筒、ハガキ、ＯＨＰシートなどの様々な用紙タイプへの印刷が可能である。
【０００３】
また、画像形成装置において使用可能な用紙タイプとしては、たとえば普通紙、厚紙、ラベル用紙、ＯＨＰフィルム、封筒、はがきなどがある。また、用紙の厚さは、１ｍあたりの重さがどれくらいかということで表され、一般的にｇ／ｍという単位が使われる。ちなみに、普通紙の場合はたとえば６０〜１０５ｇ／ｍであり、厚紙の場合はたとえば１０６〜１２０ｇ／ｍ、あるいは１２１〜１９９ｇ／ｍである。
【０００４】
また、画像形成装置においては、用紙の排出先に応じて曲部が少ない搬送路と曲部が多い搬送路とが設けられている。そして、厚紙、ＯＨＰシート、封筒などの普通紙より厚い用紙タイプの場合、カール（円弧状変形）などの発生を抑制するために、曲部が少ない搬送路で搬送させる必要があり、排出先を制限している。
【０００５】
このような排出先を制限するものとして、たとえば特許文献１では、シートを案内する第１搬送パスと、第１搬送パスに比べ曲部の多い第２搬送パスと、シートを第１搬送パス又は第２搬送パスに選択的に導くためのパス切換手段と、シートの種類が予め定めた特定の種類であるか否かを判別し、その判別結果に応じてパス切換手段を切換制御する制御手段とを有し、シートの種類が予め定めた特定の種類である場合には、シートを第１搬送パスを通るように搬送制御する画像形成装置を提案している。
【先行技術文献】
【特許文献】
【０００６】
【特許文献１】特開平１０−１２９９１３号公報
【発明の概要】
【発明が解決しようとする課題】
【０００７】
上述した特許文献１の画像形成装置では、シートの種類に応じて第１搬送パス又は第２搬送パスを選択するので、カールなどの発生を抑制できる。
【０００８】
ところで、このような画像形成装置では、たとえば印刷出力と連携し、ホチキス留め、紙折り、穴あけパンチなどの後処理を行うフィニッシャーなどの後処理機器の追加が可能である。
【０００９】
ところが、フィニッシャーへの排出先は、曲部が少ない搬送路上にあるため、普通紙より厚い用紙タイプの排出先が無くなってしまう、という問題がある。
【００１０】
本発明は、このような状況に鑑みてなされたものであり、上記問題点を解消することができる画像形成装置を提供することを目的とする。
【課題を解決するための手段】
【００１１】
本発明の画像形成装置は、パネル部と、印刷データに基づいて色材による画像を転写するプリンター部と、前記プリンター部によって転写されたトナー画像を用紙に定着させる定着部と、第１の搬送路上に設けられ、排出先が制限されている前記用紙を排出する第１の排出先と、前記第１の搬送路よりも曲部が多い第２の搬送路上に設けられた第２の排出先と、用紙を縦向き又は横向きで収容可能な給紙カセットと、前記定着部でトナー画像が定着された前記用紙を、前記第１の排出先又は前記第２の排出先に搬送させるシステム制御部とを備え、前記システム制御部は、印刷時での設定が排出先の制限されている前記用紙であり、さらに同じ用紙タイプで横向きである場合であって、前記第１の排出先からの排出が不可能であるとき、前記パネル部に警告を表示させ、前記パネル部を介して前記警告の解除を受け付けると、前記印刷時に設定された前記用紙を収容している前記給紙カセットを選択し、前記定着部でトナー画像が定着された前記用紙を、前記第２の排出先に搬送させることを特徴とする。
また、印刷可能データを受信する通信制御部を備え、前記プリンター部は、前記印刷可能データに基づくトナー画像を転写し、前記システム制御部は、前記受信された印刷可能データを印刷する際、印刷時での設定が排出先の制限されている前記用紙であり、さらに同じ用紙タイプで横向きである場合であって、前記第１の排出先からの排出が不可能であるとき、前記パネル部に前記警告とともに前記警告を解除するボタンとを表示させ、前記警告を解除するボタンが押下されたら、前記印刷時に設定された前記用紙を収容している前記給紙カセットを選択し、前記定着部でトナー画像が定着された前記用紙を、前記第２の排出先に搬送させることを特徴とする。
また、原稿画像を読み取るスキャナー部を備え、前記プリンター部は、前記原稿画像に基づく前記トナー画像を転写し、前記システム制御部は、読み取られた前記原稿画像を印刷する際、印刷時での設定が排出先の制限されている前記用紙であり、さらに同じ用紙タイプで横向きである場合であって、前記第１の排出先からの排出が不可能であるとき、前記パネル部に前記警告とともに前記警告を解除するボタンとを表示させ、前記警告を解除するボタンが押下されたら、スタートキーの押下を受け付けた後、前記印刷時に設定された前記用紙を収容している前記給紙カセットを選択し、前記定着部でトナー画像が定着された前記用紙を、前記第２の排出先に搬送させることを特徴とする。
また、画像処理部を備え、前記システム制御部は、印刷時での設定が排出先の制限されている前記用紙であり、さらに同じ用紙タイプで横向きである場合であって、前記第１の排出先からの排出が不可能であるとき、前記印刷時に設定された前記用紙を収容している前記給紙カセットが無い場合、前記印刷時に設定された用紙サイズより大きく、かつ同じ用紙タイプの前記用紙を収容している前記給紙カセットを選択し、前記印刷データが１頁分であれば前記画像処理部に対し、前記用紙の１頁に前記印刷データの１頁分の印刷が行われるように画像処理させ、前記印刷データが２頁分以上であれば前記用紙の１頁につき前記印刷データの２頁分の印刷が行われるように画像処理させ、前記定着部でトナー画像が定着された前記用紙を、前記第１の排出先に搬送させることを特徴とする。
また、前記システム制御部は、印刷時での設定が排出先の制限されている前記用紙であり、さらに同じ用紙タイプで横向きである場合であって、前記第１の排出先からの排出が不可能であるとき、前記印刷時に設定された用紙サイズより大きく、かつ同じ用紙タイプの前記用紙を収容している前記給紙カセットが無い場合、前記印刷時に設定された用紙サイズ及び用紙タイプが同じである前記用紙を縦向きに収容している前記給紙カセットを選択し、前記画像処理部に対して縦向きの前記用紙に印刷が行われるように画像処理させ、前記定着部でトナー画像が定着された前記用紙を、前記第１の排出先に搬送させることを特徴とする。
本発明の画像形成装置では、システム制御部により、印刷時での設定が排出先の制限されている用紙であり、さらに同じ用紙タイプで横向きである場合であって、曲部が少ない搬送路上の第１の排出先からの排出が不可能であるとき、パネル部に警告を表示させ、警告が解除されたら、印刷時に設定された用紙を収容している給紙カセットを選択し、定着部がプリンター部によって転写されたトナー画像を定着した用紙を、曲部が多い搬送路上の第２の排出先に搬送させることができる。
すなわち、パネル部に表示される警告が解除された場合に限り、ユーザーの了解を得たものとし、印刷時に設定された用紙の排出先を決定することができる。
【発明の効果】
【００１２】
本発明の画像形成装置によれば、ユーザーの了解を得た場合に限り、設定された用紙の排出先を決定するので、排出先が制限されている用紙の搬送制御を適切に行うことができる。
【図面の簡単な説明】
【００１３】
【図１】本発明の画像形成装置の一実施形態を説明するための図である。
【図２】図１のＭＦＰで使用可能な用紙タイプを説明するための図である。
【図３】図２の用紙タイプの厚さについて説明するための図である。
【図４】図１のＭＦＰの内部構成の一例を示す図である。
【図５】図２のシステム制御部による、排出先が制限されている用紙の搬送制御の一例について説明するものであって、図５（ａ）は受信データ印刷が設定された場合での搬送制御の一例を示し、図５（ｂ）はコピーが設定された場合での搬送制御の一例を示す図である。
【図６】図２のシステム制御部による、受信データ印刷が設定された場合での排出先が制限されている用紙の搬送制御について説明するフローチャートである。
【図７】図２のシステム制御部による、コピーが設定された場合での排出先が制限されている用紙の搬送制御について説明するフローチャートである。
【発明を実施するための形態】
【００１４】
以下、本発明の画像形成装置の一実施形態を、図１〜図７を参照しながら説明する。なお、以下の説明においての画像形成装置の一例としては、たとえば印刷機能、コピー機能、ＦＡＸ（Ｆａｃｓｉｍｉｌｅ）機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１５】
まず、図１に示すように、ＭＦＰ１００には、印刷出力と連携した後処理を行うフィニッシャー２００が連結されている。フィニッシャー２００の本体２１０には、搬送ローラー部２１１〜２１３、後処理部２２０、排紙トレイ２２１が設けられている。搬送ローラー部２１１は、ＭＦＰ１００の後述の排出口１０２からの後述の用紙１１１を引き込む。搬送ローラー部２１２は、搬送ローラー部２１１が引き込んだ用紙１１１を搬送路２１０ａに沿って後処理部２２０側に搬送する。搬送ローラー部２１３は、搬送路２１０ｂに沿って後処理部２２０が処理した用紙１１１を排紙トレイ２２１に排出する。後処理部２２０は、ホチキス留め、紙折り、穴あけパンチなどの後処理を行う。
【００１６】
なお、後述の排出口１０２は後述の曲部が少ない搬送路１５０ａ上に設けられており、フィニッシャー２００が連結されていなければ厚紙、ＯＨＰシート、封筒などの普通紙より厚い用紙タイプの後述の用紙１１１は排出口１０２から排出されるように、排出先が制限されている。
【００１７】
しかし、図１のように、フィニッシャー２００が連結されると、排出先が制限されている用紙１１１の排出先が無くなってしまう。すなわち、たとえば搬送ローラー部２１１と搬送ローラー部２１２との間隔は、装置の制約上、たとえばＡ５の横方向の寸法より広く設定されている。このため、たとえばＡ５サイズの横向きのＯＨＰシートが排出口１０２まで搬送されても、搬送ローラー部２１１と搬送ローラー部２１２との間での引き込みが行われない。
【００１８】
そこで、本実施形態では、後述のシステム制御部１９２により、排出先が制限されている用紙１１１の搬送制御を適切に行うようにしているが、詳細については後述する。なお、後述の用紙１１１の横向きとは、用紙１１１の搬送方向が短辺となる向きを示す。また、用紙１１１の縦向きとは、用紙１１１の搬送方向が長辺となる向きを示す。用紙１１１は後述の給紙カセット１１２に収納された向き（横向きまたは縦向き）のまま給紙が行われる。
【００１９】
ＭＦＰ１００の本体１０１には、印刷済みの後述の用紙１１１をフィニッシャー２００側に排出する排出口１０２が設けられている。また、ＭＦＰ１００の本体１０１の内部には、給紙部１１０、プリンター部１２０、定着部１３０、アジャスターキット１４０、ジョブセパレーター１４１、搬送部１５０などが搭載されている。なお、符号１６１はジョブセパレーター１４１から排出される後述の用紙１１１を受け取る排紙トレイを示し、符号１６２は印刷済みの後述の用紙１１１を受け取る排紙トレイを示している。
【００２０】
給紙部１１０は、用紙サイズや用紙タイプの異なる様々な用紙１１１を収容できる複数の給紙カセット１１２を収容する。用紙タイプの詳細については後述する。また、それぞれの給紙カセット１１２は、給紙ローラー１１３を設けている。給紙ローラー１１３は、給紙カセット１１２からの用紙１１１を、それぞれの給紙カセット１１２に設けられた共有搬送路１１０ａに送り出す。なお、給紙カセット１１２には、用紙１１１を縦向き又は横向きに収容可能である。特に、用紙１１１を横向きに収容した場合、用紙１１１は搬送路１５０ａに沿って横向き（搬送方向が短辺となる向き）でプリンター部１２０側に搬送されるため、用紙１１１を縦向きで搬送した場合に比べ印刷速度を上げることができる。
【００２１】
プリンター部１２０は、図示しない感光体ドラム、現像装置、帯電装置、露光装置などを有する、画像形成ユニット（Ｍ）１２１、画像形成ユニット（Ｃ）１２２、画像形成ユニット（Ｙ）１２３、画像形成ユニット（Ｂ）１２４を備えている。画像形成ユニット（Ｍ）１２１はマゼンタ用であり、画像形成ユニット（Ｃ）１２２はシアン用であり、画像形成ユニット（Ｙ）１２３はイエロー用であり、画像形成ユニット（Ｂ）１２４はブラック用である。
【００２２】
また、プリンター部１２０は、１次転写ローラー１２５ａ〜１２５ｄ、駆動ローラー１２６、従動ローラー１２７、中間転写ベルト１２８、２次転写ローラー１２９を有している。画像形成ユニット（Ｍ）１２１、画像形成ユニット（Ｃ）１２２、画像形成ユニット（Ｙ）１２３、画像形成ユニット（Ｂ）１２４は、印刷データに基づき、帯電、露光及び現像の工程により図示しない感光体ドラム上にトナー画像を形成する。また、１次転写ローラー１２５ａ〜１２５ｄは、図示しない感光体ドラム上のトナー画像を、駆動ローラー１２６及び従動ローラー１２７に張架されている中間転写ベルト１２８上に転写する。また、２次転写ローラー１２９は、用紙１１１の裏面側から圧接し、用紙１１１の表面側に中間転写ベルト１２８上のトナー画像を転写する。
【００２３】
定着部１３０は、加熱ローラー１３１と加圧ローラー１３２とを有している。加熱ローラー１３１は、図示しない熱源制御部によって制御される熱源からの熱を用紙１１１に与える。加圧ローラー１３２は、用紙１１１を加熱ローラー１３１側に押しつける。そして、定着部１３０は、駆動ローラー１２６と２次転写ローラー１２９とにより、トナー画像が転写された用紙１１１に対し、加圧ローラー１３２による圧と加熱ローラー１３１による熱を加える。これにより、用紙１１１にトナー画像が定着される。
【００２４】
アジャスターキット１４０は、後述の搬送路１５０ａから分岐する搬送路１５０ｂ上に設けられている。また、アジャスターキット１４０は、切替爪１５９を有している。切替爪１５９は、搬送路１５０ｂ及び搬送路１５０ｃの分岐部に設けられている。切替爪１５９は、後述の搬送路１５０ａからの用紙１１１の搬送方向を切り替える。なお、搬送路１５０ｂは、曲部が多い形状となっている。
【００２５】
ジョブセパレーター１４１は、排出ローラー１４２を有し、印刷済みの用紙１１１の仕分けを行う。排出ローラー１４２は、仕分けを行った用紙１１１を排紙トレイ１６１に排出する。
【００２６】
搬送部１５０は、搬送ローラー部１５１〜１５７を有している。なお、それぞれの搬送ローラー部１５１〜１５７は、駆動ローラーと従動ローラーとを有している。また、搬送ローラー部１５１〜１５５は、共有搬送路１１０ａから排出口１０２まで延びる搬送路１５０ａ上に配置されている。なお、搬送路１５０ａは、曲部が少ない形状となっている。また、搬送ローラー部１５６〜１５７は、搬送路１５０ｂ上に配置されている。搬送ローラー部１５７は、印刷済みの用紙１１１を排紙トレイ１６２に排出する。搬送路１５０ａと搬送路１５０ｂとの分岐部には、切替爪１５８が設けられている。切替爪１５８は、搬送路１５０ａからの用紙１１１の搬送方向を切り替える。なお、搬送ローラー部１５１〜１５２の間に、上述したプリンター部１２０の２次転写ローラー１２９と定着部１３０とが配置されている。
【００２７】
ここで、用紙タイプとしては、たとえば図２に示すように、普通紙、ＯＨＰシート、プレプリント、ラベル、ボンド、再生紙、薄紙、ザラ紙、レターヘッド、カラー、パンチ済み用紙、封筒、ハガキ、加工紙、裏紙、厚紙、上質紙などがある。なお、図２において、軽いは、普１よりも軽いことを示すものである。普１〜３は、普通の重さを３段階で示すものである。また、重１〜３は、普通より重い場合の重さを３段階で示すものである。また、非常に重いは、重３よりも重いことを示すものである。
【００２８】
また、ＭＦＰ１００の機種によっては、図２の●のように初期設定されている場合がある。また、○は選択可能であり、必要に応じて設定変更できる。×は選択不可能であることを示す。
【００２９】
なお、用紙１１１の厚さは、図３に示すように、１ｍあたりの重さがどれくらいかということで表され、一般的にｇ／ｍという単位が使われる。ここで、軽い場合の用紙１１１の厚さは、たとえば５２〜５９ｇ／ｍである。普１の用紙１１１の厚さは、たとえば６０〜７４ｇ／ｍである。普２の用紙１１１の厚さは、たとえば７５〜９０ｇ／ｍである。普３の用紙１１１の厚さは、たとえば９１〜１０５ｇ／ｍである。重１の用紙１１１の厚さは、たとえば１０６〜１２８ｇ／ｍである。重２の用紙１１１の厚さは、たとえば１２９〜１６３ｇ／ｍである。重３の用紙１１１の厚さは、たとえば１６４〜２２０ｇ／ｍである。
【００３０】
ここで、本実施形態での普通紙より厚い用紙タイプとは、たとえば重３の用紙１１１であるものとする。なお、重３の用紙１１１としては、図２から分かる通り、たとえばプレプリント、ラベル、ボンド、レターヘッド、封筒、ハガキ、加工紙、厚紙が該当する。また、本実施形態での普通紙より厚い用紙タイプとして、ＯＨＰシートも該当する。
【００３１】
次に、図４を参照し、ＭＦＰ１００の制御系の構成の一例について説明する。ＭＦＰ１００は、スキャナー部１７０、プリンター部１２０、ＦＡＸ部１７１、Ｉ／Ｆ（インターフェース）１７２、パネル部１７３、ＨＤＤ１７４を制御する制御部１８０を備えている。
【００３２】
スキャナー部１７０は、イメージセンサ（図示省略）によって読み取られる、図示しない原稿の画像をデジタルの画像データに変換し、制御部１８０に入力するデバイスである。プリンター部１２０は、制御部１８０から出力される印刷データに基づき、用紙１１１上に画像を印刷するデバイスである。ＦＡＸ部１７１は、制御部１８０から出力されるデータを、電話回線を通じ相手方となるファクシミリへと送信し、また、相手方ファクシミリからのデータを受信して制御部１８０に入力するデバイスである。
【００３３】
Ｉ／Ｆ１７２は、社内ＬＡＮ（Ｌｏｃａｌ  Ａｒｅａ  Ｎｅｔｗｏｒｋ）やインターネットなどのネットワークを介し、他のユーザー端末、コンテンツサーバー、ウェブサーバーなどとの通信を受け持つネットワークインターフェースカードなどのデバイスである。パネル部１７３は、ＭＦＰ１００の印刷機能、コピー機能、ＦＡＸ機能、ネットワーク経由でのデータ送受信機能や、各種設定のための表示を行うタッチパネルなどのデバイスである。ＨＤＤ１７４は、ＭＦＰ１００の種々の機能を提供するためのアプリケーションプログラムなどを記憶している記憶デバイスである。
【００３４】
制御部１８０は、画像形成プログラムや制御プログラムなどを実行してＭＦＰ１００全体の動作を制御するプロセッサーである。制御部１８０は、スキャナー制御部１８１、プリンター制御部１８２、ＦＡＸ制御部１８３、通信制御部１８４、ＲＡＭ（Ｒａｎｄｏｍ  Ａｃｃｅｓｓ  Ｍｅｍｏｒｙ）１８５、ＲＯＭ（Ｒｅａｄ−Ｏｎｌｙ  Ｍｅｍｏｒｙ）１８６、画像処理部１８７、搬送ローラー制御部１８８、ジョブセパレーター制御部１８９、パネル操作制御部１９０、ＨＤＤ制御部１９１、システム制御部１９２を備えている。また、これらは、データバス１９３に接続されている。
【００３５】
スキャナー制御部１８１は、スキャナー部１７０の読み取り動作を制御する。プリンター制御部１８２は、プリンター部１２０の印刷動作を制御する。ＦＡＸ制御部１８３は、ＦＡＸ部１７１によるデータの送受信動作を制御する。通信制御部１８４は、Ｉ／Ｆ１７２を介し、図示しないネットワーク経由でのデータなどの送受信の制御を行う。
【００３６】
ＲＡＭ１８５は、プログラムを実行するためのワークメモリーである。また、ＲＡＭ１８５は、画像処理部１８７によって画像処理された印刷データを記憶する。ＲＯＭ１８６には、各部の動作チェックなどを行う制御プログラムが記憶されている。画像処理部１８７は、たとえばスキャナー部１７０によって読み取られた画像データに対する画像処理（ラスタライズ）を行って印刷データを生成する。また、画像処理部１８７は、通信制御部１８４によって受信された印刷可能データに対する画像処理（ラスタライズ）を行って印刷データを生成する。
【００３７】
搬送ローラー制御部１８８は、システム制御部１９２の制御により、切替爪１５８、１５９の切り替えを制御する。すなわち、切替爪１５８は、定着部１３０を通過した用紙１１１を搬送路１５０ａ側又は搬送路１５０ｂ側に切り替える。また、搬送ローラー制御部１８８は、システム制御部１９２の制御により、搬送ローラー部１５１〜１５５又は搬送ローラー部１５６、１５７の駆動を制御する。すなわち、搬送ローラー部１５１〜１５５が駆動することで、定着部１３０を通過した用紙１１１を排出口１０２まで搬送する。そして、搬送ローラー部１５５が用紙１１１をフィニッシャー２００側に排出する。
【００３８】
また、搬送ローラー部１５６、１５７が駆動することで、定着部１３０を通過した用紙１１１を排紙トレイ１６２側に搬送する。そして、搬送ローラー部１５７が用紙１１１を排紙トレイ１６２に排出する。なお、切替爪１５９が搬送路１５０ｃ側を搬送するように切り替えると、搬送ローラー部１５６が用紙１１１をジョブセパレーター１４１側に送り出す。
【００３９】
ジョブセパレーター制御部１８９は、システム制御部１９２の制御により、排出ローラー１４２を駆動し、用紙１１１の仕分けを行う。そして、排出ローラー１４２が仕分けを行った用紙１１１を排紙トレイ１６１に排出する。
【００４０】
パネル操作制御部１９０は、パネル部１７３の表示動作を制御する。また、パネル操作制御部１９０は、パネル部１７３を介し、用紙サイズ及び／又は用紙タイプの設定を受け付け、システム制御部１９２に通知する。また、パネル操作制御部１９０は、詳細については後述するが、パネル部１７３に対し、排出先が制限されている用紙タイプに関するメッセージを表示させる。また、パネル操作制御部１９０は、パネル部１７３を介し、印刷又はコピーなどの設定を受け付け、システム制御部１９２に通知する。ＨＤＤ制御部１９１は、ＨＤＤ１７４に対するデータの読み出し及び書き込みなどを制御する。
【００４１】
システム制御部１９２は、各部の連携動作などを制御する。すなわち、システム制御部１９２は、主に、パネル部１７３を介してたとえば印刷又はコピーが設定されると、用紙タイプなどに合わせ切替爪１５８又は１５９を切り替えて用紙１１１の排出先を制御する。また、システム制御部１９２は、上述したように、フィニッシャー２００が追加されたことで排出先が制限される用紙１１１に対し、パネル部１７３を介して設定された内容に応じ、用紙１１１の排出先などを制御する。
【００４２】
ここで、排出先が制限される用紙１１１としては、上述したように、普通紙より厚い用紙タイプである。なお、上述したように、給紙カセット１１２には、用紙１１１を縦向き又は横向きに収容可能である。特に、用紙１１１を横向きに収容した場合、上述したように、用紙１１１を縦向きで搬送した場合に比べ印刷速度を上げることができる。ただし、フィニッシャー２００側においては、装置の制約上、上述したように、たとえばＡ５の用紙１１１が横向きで排出口１０２まで搬送されても、内部に引き込むことができない。このようなことから、特に、用紙サイズがＡ５以下であり、かつ給紙カセット１１２に横向きに収納されている用紙１１１が印刷時又はコピー時などに設定された場合、用紙１１１は曲部が少ない搬送路１５０ａで排出口１０２まで搬送することができなくなる。この際、用紙１１１は曲部が多い搬送路１５０ｂで搬送することになる。この場合のシステム制御部１９２による、排出先が制限されている用紙１１１の搬送制御について以下に説明する。
【００４３】
次に、図５を参照し、システム制御部１９２による、排出先が制限されている用紙１１１の搬送制御の一例について説明する。なお、図５（ａ）は、通信制御部１８４により受信された印刷可能データ（例えば、ページ記述言語によるデータ）に基づく印刷（以下、「受信データ印刷」と記述する。）が設定された場合での搬送制御の一例を示し、図５（ｂ）は、スキャナー部１７０により読み取られた原稿画像を印刷するコピーが設定された場合での搬送制御の一例を示している。
【００４４】
まず、図５（ａ）に示すように、受信データ印刷が設定された場合での搬送制御１は、排出先の制限を解除することで、曲部が多い搬送路１５０ｂ上の排出先である排紙トレイ１６１又は１６２に用紙１１１を排出する場合を示している。この場合、システム制御部１９２は、印刷すべき用紙１１１としてＡ５サイズの横向きのＯＨＰシートが設定された場合、搬送制御１に従い、パネル部１７３にカール発生の可能性があることを示す警告と、警告を解除するボタンとを表示させる。そして、システム制御部１９２は、警告を解除するボタンが押下されたら警告の解除を受け付けて、プリンター制御部１８２に印刷開始を指示する。
【００４５】
また、受信データ印刷が設定された場合での搬送制御２は、Ａ４サイズのＯＨＰシートを収容している給紙カセット１１２を選択する場合を示している。この場合、システム制御部１９２は、印刷すべき用紙１１１としてＡ５サイズの横向きのＯＨＰシートが設定された場合、搬送制御２に従い、画像処理部１８７に対して２ｉｎ１設定を指示する。これにより、システム制御部１９２は、印刷データがＡ５サイズの１頁分であれば、画像処理部１８７に対し、Ａ４サイズのＯＨＰシートの用紙１１１の半分に印刷が行われるように画像処理させる。また、システム制御部１９２は、印刷データがＡ５サイズのたとえば２頁分以上であれば、画像処理部１８７に対し、Ａ４サイズのＯＨＰシートの用紙１１１の１頁につき２頁分の印刷が行われるように画像処理させる。このとき、印刷データのうち未印刷の残りの頁が１頁になった場合、システム制御部１９２は、画像処理部１８７に対し、Ａ４サイズの用紙１１１の半分に印刷データの残りの１頁の印刷が行われるように画像処理させる。
【００４６】
この場合、用紙１１１がＡ４サイズであり、搬送路１５０ａ上を搬送してもフィニッシャー２００側の排紙トレイ２２１に排出できるため、システム制御部１９２は排出先を排出口１０２に設定する。これにより、排出口１０２まで搬送された用紙１１１は、フィニッシャー２００側の排紙トレイ２２１に排出される。
【００４７】
また、受信データ印刷が設定された場合での搬送制御３は、縦向きのＡ５サイズのＯＨＰシートを収容している給紙カセット１１２を選択する場合を示している。ここで、縦向きとは、給紙カセット１１２に用紙１１１が縦向きに収容されていることである。この場合、システム制御部１９２は、印刷すべき用紙１１１としてＡ５サイズの横向きのＯＨＰシートが設定された場合、搬送制御３に従い、画像処理部１８７に対して縦向きのＡ５サイズの用紙１１１に印刷が行われるように画像処理させる。またこの場合、用紙１１１が縦向きで搬送路１５０ａ上を搬送してもフィニッシャー２００側の排紙トレイ２２１に排出できるため、システム制御部１９２は排出先を排出口１０２に設定する。ここで、縦向きのＡ５サイズのＯＨＰシートを収容している給紙カセット１１２が無ければ、ＯＨＰシート以外の用紙１１１を収容している給紙カセット１１２を選択してもよい。この場合、システム制御部１９２は、パネル操作制御部１９０を介し、パネル部１７３に選択した給紙カセット１１２と選択した理由とを表示させる。
【００４８】
なお、システム制御部１９２は、印刷すべき用紙１１１としてＡ５サイズの横向きのＯＨＰシートが設定された場合、搬送制御１〜３を順に実行する。
【００４９】
一方、図５（ｂ）に示すように、コピーが設定された場合での搬送制御４は、排出先の制限を解除することで、曲部が多い搬送路１５０ｂ上の排紙トレイ１６１又は１６２に用紙１１１を排出する場合を示している。この場合、システム制御部１９２は、印刷すべき用紙１１１としてＡ５サイズの横向きのＯＨＰシートが設定された場合、搬送制御４に従い、パネル部１７３にカール発生の可能性があることを示す警告と、警告を解除するボタンとを表示させる。そして、システム制御部１９２は、警告を解除するボタンが押下されたら、スタートキーの押下を受け付ける。すなわち、システム制御部１９２は、警告を解除するボタンが押下されたら警告の解除を受け付けて、パネル操作制御部１９０に対し、スタートキーの押下を受け付けさせる。システム制御部１９２は、スタートキーの押下が受け付けられると、プリンター制御部１８２に印刷開始を指示する。
【００５０】
また、コピー画像処理設定された場合での搬送制御５は、Ａ４サイズのＯＨＰシートを収容している給紙カセット１１２を選択する場合を示している。この場合、システム制御部１９２は、印刷すべき用紙１１１としてＡ５サイズの横向きのＯＨＰシートが設定された場合、搬送制御５に従い、画像処理部１８７に対して２ｉｎ１設定を指示する。これにより、システム制御部１９２は、スキャナー部１７０が読み取った画像データがＡ５サイズの１頁分であれば、画像処理部１８７に対し、Ａ４サイズの用紙１１１の半分に印刷が行われるように画像処理させる。また、システム制御部１９２は、スキャナー部１７０が読み取った画像データがＡ５サイズのたとえば２頁分以上であれば、画像処理部１８７に対し、Ａ４サイズの用紙１１１の１頁につき２頁分の印刷が行われるように画像処理させる。このとき、印刷データのうち未印刷の残りの頁が１頁になった場合、システム制御部１９２は、画像処理部１８７に対し、Ａ４サイズの用紙１１１の半分に印刷データの残りの１頁の印刷が行われるように画像処理させる。
【００５１】
この場合、用紙１１１がＡ４サイズであり、搬送路１５０ａ上を搬送してもフィニッシャー２００側の排紙トレイ２２１に排出できるため、システム制御部１９２は排出先を排出口１０２に設定する。
【００５２】
また、コピーが設定された場合での搬送制御６は、縦向きのＡ５サイズのＯＨＰシートを収容している給紙カセット１１２を選択する場合を示している。この場合、システム制御部１９２は、印刷すべき用紙１１１としてＡ５サイズの横向きのＯＨＰシートが設定された場合、搬送制御６に従い、画像処理部１８７に対し、縦向きのＡ５サイズの用紙１１１にスキャナー部１７０が読み取った画像データの印刷が行われるように画像処理させる。またこの場合、用紙１１１が縦向きで搬送路１５０ａ上を搬送してもフィニッシャー２００側の排紙トレイ２２１に排出できるため、システム制御部１９２は排出先を排出口１０２に設定する。なお、縦向きのＡ５サイズのＯＨＰシートを収容している給紙カセット１１２が無ければ、ＯＨＰシート以外の用紙１１１を収容している給紙カセット１１２を選択してもよい。この場合、システム制御部１９２は、パネル操作制御部１９０を介し、パネル部１７３に選択した給紙カセット１１２と選択した理由とを表示させる。
【００５３】
なお、システム制御部１９２は、印刷すべき用紙１１１としてＡ５サイズの横向きのＯＨＰシートが設定された場合、搬送制御４〜６を順に実行する。
【００５４】
次に、図６を参照し、システム制御部１９２による排出先が制限されている用紙１１１の搬送制御について説明する。なお、以下においては、受信データ印刷が設定された場合として説明する。また、以下においては、印刷時において、Ａ５サイズの横向きのＯＨＰシートが設定された場合として説明する。
【００５５】
（ステップＳ１０１）
システム制御部１９２は、受信データ印刷が設定されたかどうかを判断する。この場合、システム制御部１９２は、通信制御部１８４が印刷可能データを受信するまで待つ（ステップＳ１０１：Ｎｏ）。これに対し、システム制御部１９２は、印刷可能データが受信されるのに伴い、通信制御部１８４から受信データ印刷が設定されたことを示す通知を受け取ると、受信データ印刷が設定されたと判断し（ステップＳ１０１：Ｙｅｓ）、ステップＳ１０２に移行する。ここで、システム制御部１９２は、画像処理部１８７に受信された印刷可能データを渡して解析させ、用紙に関するコマンドを抽出させる。本実施形態においては、画像制御部１８７は、Ａ５サイズの横向きのＯＨＰシートを指定するコマンドを抽出する。これにより、システム制御部１９２は、画像制御部１８７からＡ５サイズの横向きのＯＨＰシートが設定された場合での受信データ印刷が設定されたことを確定する。
【００５６】
（ステップＳ１０２）
システム制御部１９２は、搬送制御１の実行が可能かどうかを判断する。この場合、システム制御部１９２は、Ａ５サイズの横向きのＯＨＰシートを収納している給紙カセット１１２が無いことを確認すると、搬送制御１の実行が可能でないと判断し（ステップＳ１０２：Ｎｏ）、ステップＳ１０５に移行する。これに対し、システム制御部１９２は、Ａ５サイズの横向きのＯＨＰシートを収納している給紙カセット１１２が有ることを確認すると、搬送制御１の実行が可能であると判断し（ステップＳ１０２：Ｙｅｓ）、ステップＳ１０３に移行する。
【００５７】
（ステップＳ１０３）
システム制御部１９２は、搬送制御１を実行する。この場合、システム制御部１９２は、パネル操作制御部１９０を介し、パネル部１７３にカール発生の可能性があることを示す警告と、警告を解除するボタンとを表示させる。そして、システム制御部１９２は、警告を解除するボタンが押下されたら、Ａ５サイズの横向きのＯＨＰシートが収容されている給紙カセット１１２からの給紙を開始させる。
また、システム制御部１９２は、搬送ローラー制御部１８８を制御し、搬送ローラー部１５１、１５６、１５７を駆動させる。また、システム制御部１９２は、切替爪１５８、１５９を用紙１１１が搬送路１５０ｂに沿って搬送されるように切り替える。そして、搬送ローラー部１５１が給紙ローラー１１３によって共有搬送路１１０ａに送り出された用紙１１１をプリンター部１２０に搬送する。
ここで、２次転写ローラー１２９は、用紙１１１の裏面側から圧接し、用紙１１１の表面側に中間転写ベルト１２８上のトナー画像を転写する。また、用紙１１１に対し、定着部１３０での加圧ローラー１３２による圧と加熱ローラー１３１による熱を加えることで、用紙１１１にトナー画像を定着させる。また、搬送ローラー部１５６は、定着部１３０を通過した用紙１１１を搬送路１５０ｂ側に引き込む。そして、搬送ローラー部１５７が用紙１１１を排紙トレイ１６２に排出する。
なお、印刷時において、ジョブセパレーター１４１による仕分けが設定された場合、システム制御部１９２は切替爪１５９を搬送路１５０ｂから搬送路１５０ｃ側に搬送されるように切り替える。これにより、ジョブセパレーター１４１は、印刷済みの用紙１１１の仕分けを行いつつ、排紙トレイ１６１に排出する。
【００５８】
（ステップＳ１０４）
システム制御部１９２は、印刷が完了したかどうかを判断する。この場合、システム制御部１９２は、プリンター制御部１８２からの印刷の完了を示す通知がなければ印刷が完了していないと判断し（ステップＳ１０４：Ｎｏ）、ステップＳ１０３に戻り、搬送制御１の実行を継続する。
これに対し、システム制御部１９２は、プリンター制御部１８２からの印刷の完了を示す通知を受け取ると、印刷が完了したと判断し（ステップＳ１０４：Ｙｅｓ）、処理を終了する。
【００５９】
（ステップＳ１０５）
システム制御部１９２は、搬送制御２の実行が可能かどうかを判断する。この場合、システム制御部１９２は、Ａ４サイズのＯＨＰシートを収容している給紙カセット１１２が無いことを確認すると、搬送制御２の実行が可能でないと判断し（ステップＳ１０５：Ｎｏ）、ステップＳ１０８に移行する。これに対し、システム制御部１９２は、Ａ４サイズのＯＨＰシートを収容している給紙カセット１１２が有ることを確認すると、搬送制御２の実行が可能であると判断し（ステップＳ１０５：Ｙｅｓ）、ステップＳ１０６に移行する。
【００６０】
（ステップＳ１０６）
システム制御部１９２は、搬送制御２を実行する。この場合、システム制御部１９２は、画像処理部１８７に対して２ｉｎ１設定を指示する。ここで、システム制御部１９２は、印刷データのサイズがＡ５サイズの１頁分以下であれば、画像処理部１８７に対し、Ａ４サイズのＯＨＰシートの用紙１１１の半分に印刷が行われるように画像処理させる。また、システム制御部１９２は、印刷データのサイズがＡ５サイズのたとえば２頁分であれば、画像処理部１８７に対し、Ａ４サイズのＯＨＰシートの用紙１１１に２頁分の印刷が行われるように画像処理させる。
この場合、用紙１１１がＡ４サイズであり、搬送路１５０ａ上を搬送してもフィニッシャー２００側の排紙トレイ２２１に排出できるため、システム制御部１９２は排出先を排出口１０２に設定する。
また、システム制御部１９２は、搬送ローラー制御部１８８を制御し、搬送ローラー部１５１〜１５５を駆動させる。また、システム制御部１９２は、切替爪１５８を用紙１１１が搬送路１５０ａに沿って搬送されるように切り替える。そして、搬送ローラー部１５１が給紙ローラー１１３によって共有搬送路１１０ａに送り出された用紙１１１をプリンター部１２０に搬送する。
ここで、上述したように、プリンター部１２０により用紙１１１の表面側にトナー画像を転写し、定着部１３０によりトナー画像を定着させると、搬送ローラー部１５２〜１５５が搬送路１５０ａに沿って排出口１０２まで搬送し、搬送ローラー部１５５が用紙１１１をフィニッシャー２００側に排出する。
そして、フィニッシャー２００側では、用紙１１１を排紙トレイ２２１に排出する。なお、印刷時において、ホチキス留め、紙折り、穴あけパンチなどのいずれかの後処理が設定されている場合、後処理部２２０が設定された後処理を行った後、用紙１１１を排紙トレイ２２１に排出する。
【００６１】
（ステップＳ１０７）
システム制御部１９２は、印刷が完了したかどうかを判断する。この場合、システム制御部１９２は、プリンター制御部１８２からの印刷の完了を示す通知がなければ印刷が完了していないと判断し（ステップＳ１０７：Ｎｏ）、ステップＳ１０６に戻り、搬送制御２の実行を継続する。
これに対し、システム制御部１９２は、プリンター制御部１８２からの印刷の完了を示す通知を受け取ると、印刷が完了したと判断し（ステップＳ１０７：Ｙｅｓ）、処理を終了する。
【００６２】
（ステップＳ１０８）
システム制御部１９２は、搬送制御３の実行が可能かどうかを判断する。この場合、システム制御部１９２は、縦向きのＡ５サイズのＯＨＰシートを収容している給紙カセット１１２が無いことを確認すると、搬送制御３の実行が可能でないと判断し（ステップＳ１０８：Ｎｏ）、処理を終了する。これに対し、システム制御部１９２は、縦向きのＡ５サイズのＯＨＰシートを収容している給紙カセット１１２が有ることを確認すると、搬送制御２の実行が可能であると判断し（ステップＳ１０８：Ｙｅｓ）、ステップＳ１０９に移行する。
なお、システム制御部１９２は、縦向きのＡ５サイズのＯＨＰシートを収容している給紙カセット１１２が無いことを確認すると、パネル操作制御部１９０を介しパネル部１７３に設定された用紙１１１を収容している給紙カセット１１２が無いことを示すエラー表示をしてもよい。
また、システム制御部１９２は、縦向きのＡ５サイズのＯＨＰシートを収容している給紙カセット１１２が無いことを確認すると、ＯＨＰシート以外の用紙１１１を収容している給紙カセット１１２が有ることを確認することで、搬送制御３の実行が可能であると判断してもよい。
【００６３】
（ステップＳ１０９）
システム制御部１９２は、搬送制御３を実行する。システム制御部１９２は、印刷すべき用紙１１１としてＡ５サイズの横向きのＯＨＰシートが設定された場合、画像処理部１８７に対して縦向きのＡ５サイズの用紙１１１に印刷が行われるように画像処理させる。この場合、用紙１１１が縦向きで搬送路１５０ａ上を搬送してもフィニッシャー２００側の排紙トレイ２２１に排出できるため、システム制御部１９２は排出先を排出口１０２に設定する。
また、システム制御部１９２は、搬送ローラー制御部１８８を制御し、搬送ローラー部１５１〜１５５を駆動させる。また、システム制御部１９２は、切替爪１５８を用紙１１１が搬送路１５０ａに沿って搬送されるように切り替える。ここで、搬送ローラー部１５１が給紙ローラー１１３によって共有搬送路１１０ａに送り出された用紙１１１をプリンター部１２０に搬送する。
そして、上述したように、プリンター部１２０により用紙１１１の表面側にトナー画像を転写し、定着部１３０によりトナー画像を定着させると、搬送ローラー部１５２〜１５５が搬送路１５０ａに沿って排出口１０２まで搬送し、搬送ローラー部１５５が用紙１１１をフィニッシャー２００側に排出する。
フィニッシャー２００側では、用紙１１１を排紙トレイ２２１に排出する。なお、印刷時において、ホチキス留め、紙折り、穴あけパンチなどのいずれかの後処理が設定されている場合、後処理部２２０が設定された後処理を行った後、用紙１１１を排紙トレイ２２１に排出する。
【００６４】
（ステップＳ１１０）
システム制御部１９２は、印刷が完了したかどうかを判断する。この場合、システム制御部１９２は、プリンター制御部１８２からの印刷の完了を示す通知がなければ印刷が完了していないと判断し（ステップＳ１１０：Ｎｏ）、ステップＳ１０９に戻り、搬送制御３の実行を継続する。
これに対し、システム制御部１９２は、プリンター制御部１８２からの印刷の完了を示す通知を受け取ると、印刷が完了したと判断し（ステップＳ１１０：Ｙｅｓ）、処理を終了する。
【００６５】
なお、以上の手順は、システム制御部１９２により、印刷が設定された場合、搬送制御１〜３を順に実行する場合として説明したが、これに限るものではない。たとえば、排出先が制限されている用紙１１１に対しての印刷が設定された場合、システム制御部１９２が予めパネル部１７３に搬送制御１〜３の手順を表示させ、選択された搬送制御１〜３のいずれかを実行してもよい。
【００６６】
また、画像制御部１８７は、受信された印刷可能データに基づく印刷データの生成を、ステップＳ１０３、Ｓ１０６、またはＳ１０９の処理とともに開始してもよいし、ステップＳ１０３、Ｓ１０６、またはＳ１０９の処理を開始する前に開始してもよい。
【００６７】
次に、図７を参照し、システム制御部１９２による、コピーが設定された場合での排出先が制限されている用紙１１１の搬送制御について説明する。なお、以下においては、コピー時において、Ａ５サイズの横向きのＯＨＰシートが設定された場合として説明する。
【００６８】
（ステップＳ２０１）
システム制御部１９２は、コピーが設定されたかどうかを判断する。この場合、システム制御部１９２は、パネル操作制御部１９０からのコピーが設定されたことを示す通知を受け取るまで待つ（ステップＳ２０１：Ｎｏ）。これに対し、システム制御部１９２は、パネル操作制御部１９０からのコピーが設定されたことを示す通知を受け取ると、コピーが設定されたと判断し（ステップＳ２０１：Ｙｅｓ）、ステップＳ２０２に移行する。
【００６９】
（ステップＳ２０２）
システム制御部１９２は、搬送制御４の実行が可能かどうかを判断する。この場合、システム制御部１９２は、横向きのＡ５サイズのＯＨＰシートを収容している給紙カセット１１２が無いことを確認すると、搬送制御４の実行が可能でないと判断し（ステップＳ２０１：Ｎｏ）、ステップＳ２０５に移行する。これに対し、システム制御部１９２は、横向きのＡ５サイズのＯＨＰシートを収容している給紙カセット１１２が有ることを確認すると、搬送制御４の実行が可能であると判断し（ステップＳ２０１：Ｙｅｓ）、ステップＳ２０３に移行する。
【００７０】
（ステップＳ２０３）
システム制御部１９２は、搬送制御４を実行する。この場合、システム制御部１９２は、パネル操作制御部１９０を介しパネル部１７３にカール発生の可能性があることを示す警告と、警告を解除するボタンとを表示させる。そして、システム制御部１９２は、警告を解除するボタンが押下されたら、スタートキーの押下を受け付ける。すなわち、システム制御部１９２は、警告を解除するボタンが押下されたら、パネル操作制御部１９０に対し、スタートキーの操作を受け付けさせる。
システム制御部１９２は、パネル操作制御部１９０がスタートキーの操作を受け付けると、スキャナー制御部１８１を介してスキャナー部１７０による原稿画像の読み取りを制御する。また、システム制御部１９２は、画像処理部１８７に対してスキャナー部１７０が読み取った原稿画像のデータが横向きのＡ５サイズのＯＨＰシートの用紙１１１に印刷されるように画像処理させる。また、システム制御部１９２は、Ａ５サイズの横向きのＯＨＰシートが収容されている給紙カセット１１２からの給紙を開始させる。
また、システム制御部１９２は、搬送ローラー制御部１８８を制御し、搬送ローラー部１５１、１５６、１５７を駆動させる。また、システム制御部１９２は、切替爪１５８、１５９を用紙１１１が搬送路１５０ｂに沿って搬送されるように切り替える。そして、上述したように、プリンター部１２０により用紙１１１の表面側にトナー画像を転写し、定着部１３０によりトナー画像を定着させると、搬送ローラー部１５６、１５７が搬送路１５０ｂに沿って搬送し、搬送ローラー部１５７が用紙１１１を排紙トレイ１６２に排出する。
なお、コピー時において、ジョブセパレーター１４１による仕分けが設定された場合、システム制御部１９２は切替爪１５９を搬送路１５０ｂから搬送路１５０ｃに沿って搬送されるように切り替える。これにより、ジョブセパレーター１４１は、用紙１１１の仕分けを行いつつ、排紙トレイ１６１に排出する。
【００７１】
（ステップＳ２０４）
システム制御部１９２は、コピー処理が完了したかどうかを判断する。この場合、システム制御部１９２は、プリンター制御部１８２からの印刷の完了を示す通知がなければコピー処理が完了していないと判断し（ステップＳ２０４：Ｎｏ）、ステップＳ１０９に戻り、搬送制御３の実行を継続する。
これに対し、システム制御部１９２は、プリンター制御部１８２からの印刷の完了を示す通知を受け取ると、コピー処理が完了したと判断し（ステップＳ２０４：Ｙｅｓ）、処理を終了する。
【００７２】
（ステップＳ２０５）
システム制御部１９２は、搬送制御５の実行が可能かどうかを判断する。この場合、システム制御部１９２は、Ａ４サイズのＯＨＰシートを収容している給紙カセット１１２が無いことを確認すると、搬送制御５の実行が可能でないと判断し（ステップＳ２０５：Ｎｏ）、ステップＳ２０８に移行する。これに対し、システム制御部１９２は、Ａ４サイズのＯＨＰシートを収容している給紙カセット１１２が有ることを確認すると、搬送制御５の実行が可能であると判断し（ステップＳ２０５：Ｙｅｓ）、ステップＳ２０６に移行する。
【００７３】
（ステップＳ２０６）
システム制御部１９２は、搬送制御５を実行する。この場合、システム制御部１９２は、スキャナー制御部１８１を介してスキャナー部１７０による原稿画像の読み取りを制御する。また、システム制御部１９２は、画像処理部１８７に対して２ｉｎ１設定を指示する。この場合、システム制御部１９２は、スキャナー部１７０が読み取った原稿画像のデータのサイズがＡ５サイズの１頁分以下であれば、画像処理部１８７に対し、Ａ４サイズのＯＨＰシートの用紙１１１の半分に印刷が行われるように画像処理させる。また、システム制御部１９２は、画像データのサイズがＡ５サイズのたとえば２頁分であれば、画像処理部１８７に対し、Ａ４サイズのＯＨＰシートの用紙１１１に２頁分の印刷が行われるように画像処理させる。
この場合、用紙１１１がＡ４サイズであり、搬送路１５０ａ上を搬送してもフィニッシャー２００側の排紙トレイ２２１に排出できるため、システム制御部１９２は排出先を排出口１０２に設定する。
また、システム制御部１９２は、搬送ローラー制御部１８８を制御し、搬送ローラー部１５１〜１５５を駆動させる。また、システム制御部１９２は、切替爪１５８を用紙１１１が搬送路１５０ａに沿って搬送されるように切り替える。そして、搬送ローラー部１５１が給紙ローラー１１３によって共有搬送路１１０ａに送り出された用紙１１１をプリンター部１２０に搬送する。そして、上述したように、プリンター部１２０により用紙１１１の表面側にトナー画像を転写し、定着部１３０によりトナー画像を定着させると、搬送ローラー部１５２〜１５５が搬送路１５０ａに沿って排出口１０２まで搬送し、搬送ローラー部１５５が用紙１１１をフィニッシャー２００側に排出する。
フィニッシャー２００側では、用紙１１１を排紙トレイ２２１に排出する。なお、印刷時において、ホチキス留め、紙折り、穴あけパンチなどのいずれかの後処理が設定されている場合、後処理部２２０が設定された後処理を行った後、用紙１１１を排紙トレイ２２１に排出する。
【００７４】
（ステップＳ２０８）
システム制御部１９２は、搬送制御６の実行が可能かどうかを判断する。この場合、システム制御部１９２は、縦向きのＡ５サイズのＯＨＰシートを収容している給紙カセット１１２が無いことを確認すると、搬送制御６の実行が可能でないと判断し（ステップＳ２０８：Ｎｏ）、処理を終了する。これに対し、システム制御部１９２は、縦向きのＡ５サイズのＯＨＰシートを収容している給紙カセット１１２が有ることを確認すると、搬送制御６の実行が可能であると判断し（ステップＳ２０８：Ｙｅｓ）、ステップＳ２０９に移行する。
なお、システム制御部１９２は、縦向きのＡ５サイズのＯＨＰシートを収容している給紙カセット１１２が無いことを確認すると、パネル操作制御部１９０を介しパネル部１７３に設定された用紙１１１を収容している給紙カセット１１２が無いことを示すエラー表示をしてもよい。
また、システム制御部１９２は、縦向きのＡ５サイズのＯＨＰシートを収容している給紙カセット１１２が無いことを確認すると、ＯＨＰシート以外の用紙１１１を収容している給紙カセット１１２が有ることを確認することで、搬送制御６の実行が可能であると判断してもよい。
【００７５】
（ステップＳ２０９）
システム制御部１９２は、搬送制御６を実行する。この場合、システム制御部１９２は、スキャナー制御部１８１を介してスキャナー部１７０による原稿画像の読み取りを制御する。また、システム制御部１９２は、画像処理部１８７に対して縦向きのＡ５サイズの用紙１１１に印刷が行われるように画像処理させる。この場合、用紙１１１が縦向きで搬送路１５０ａ上を搬送してもフィニッシャー２００側の排紙トレイ２２１に排出できるため、システム制御部１９２は排出先を排出口１０２に設定する。
また、システム制御部１９２は、搬送ローラー制御部１８８を制御し、搬送ローラー部１５１〜１５５を駆動させる。また、システム制御部１９２は、切替爪１５８を用紙１１１が搬送路１５０ａに沿って搬送されるように切り替える。そして、搬送ローラー部１５１が給紙ローラー１１３によって共有搬送路１１０ａに送り出された用紙１１１をプリンター部１２０に搬送する。そして、上述したように、プリンター部１２０により用紙１１１の表面側にトナー画像を転写し、定着部１３０によりトナー画像を定着させると、搬送ローラー部１５２〜１５５が搬送路１５０ａに沿って排出口１０２まで搬送し、搬送ローラー部１５５が用紙１１１をフィニッシャー２００側に排出する。
フィニッシャー２００側では、用紙１１１を排紙トレイ２２１に排出する。なお、印刷時において、ホチキス留め、紙折り、穴あけパンチなどのいずれかの後処理が設定されている場合、後処理部２２０が設定された後処理を行った後、用紙１１１を排紙トレイ２２１に排出する。
【００７６】
（ステップＳ２１０）
システム制御部１９２は、コピー処理が完了したかどうかを判断する。この場合、システム制御部１９２は、プリンター制御部１８２からの印刷の完了を示す通知がなければコピー処理が完了していないと判断し（ステップＳ２１０：Ｎｏ）、ステップＳ２０９に戻り、搬送制御６の実行を継続する。
これに対し、システム制御部１９２は、プリンター制御部１８２からの印刷の完了を示す通知を受け取ると、コピー処理が完了したと判断し（ステップＳ２１０：Ｙｅｓ）、処理を終了する。
【００７７】
なお、以上の手順は、システム制御部１９２により、コピーが設定された場合、搬送制御４〜６を順に実行する場合として説明したが、これに限るものではない。たとえば、排出先が制限されている用紙１１１に対してのコピーが設定された場合、システム制御部１９２が予めパネル部１７３に搬送制御４〜６の手順を表示させ、選択された搬送制御４〜６のいずれかを実行してもよい。
【００７８】
このように、本実施形態では、印刷の場合、システム制御部１９２により、印刷時での設定が排出先の制限されている用紙１１１であり、さらに同じ用紙タイプで横向きである場合であって、曲部が少ない搬送路１５０ａ上の排出口１０２（第１の排出先）からの排出が不可能であるとき、パネル部１７３に警告と、警告を解除するボタンとを表示させ、警告を解除するボタンが押下されたら、印刷時に設定された用紙１１１を収容している給紙カセット１１２を選択し、定着部１３０がプリンター部１２０によって転写されたトナー画像を定着した用紙１１１を、曲部が多い搬送路１５０ｂ上の排紙トレイ１６１又は１６２（第２の排出先）に搬送させる。
【００７９】
また、コピーの場合、システム制御部１９２により、パネル部１７３に警告と、警告を解除するボタンとを表示させ、警告を解除するボタンが押下されたら、スタートキーの押下を受け付けた後、コピー時に設定された用紙１１１を収容している給紙カセット１１２を選択し、定着部１３０でトナー画像が定着された用紙１１１を、排紙トレイ１６１又は１６２（第２の排出先）に搬送させる。
【００８０】
これにより、印刷の場合は、パネル部１７３に表示される警告が解除された場合に限り、ユーザーの了解を得たものとし、印刷時に設定された用紙１１１の排出先を決定することができ、排出先が制限されている用紙１１１の搬送制御を適切に行うことができる。
【００８１】
また、コピーの場合、パネル部１７３に表示される警告を解除するボタンが押下され、さらにスタートキーが押下された場合に限り、ユーザーの了解を得たものとし、コピー時に設定された用紙１１１の排出先を決定することができ、排出先が制限されている用紙１１１の搬送制御を適切に行うことができる。
【符号の説明】
【００８２】
１０１  本体
１０２  排出口
１１０  給紙部
１１０ａ  共有搬送路
１１１  用紙
１１２  給紙カセット
１１３  給紙ローラー
１２０  プリンター部
１２１  画像形成ユニット（Ｍ）
１２２  画像形成ユニット（Ｃ）
１２３  画像形成ユニット（Ｙ）
１２４  画像形成ユニット（Ｂ）
１２５ａ〜１２５ｄ  次転写ローラー
１２６  駆動ローラー
１２７  従動ローラー
１２８  中間転写ベルト
１２９  次転写ローラー
１３０  定着部
１３１  加熱ローラー
１３２  加圧ローラー
１４０  アジャスターキット
１４１  ジョブセパレーター
１４２  排出ローラー
１５０  搬送部
１５０ａ〜１５０ｃ  搬送路
１５１〜１５７  搬送ローラー部
１５８，１５９  切替爪
１６１，１６２  排紙トレイ
１７０  スキャナー部
１７１  ＦＡＸ部
１７２  Ｉ／Ｆ
１７３  パネル部
１７４  ＨＤＤ
１８０  制御部
１８１  スキャナー制御部
１８２  プリンター制御部
１８３  ＦＡＸ制御部
１８４  通信制御部
１８５  ＲＡＭ
１８６  ＲＯＭ
１８７  画像処理部
１８８  搬送ローラー制御部
１８９  ジョブセパレーター制御部
１９０  パネル操作制御部
１９１  ＨＤＤ制御部
１９２  システム制御部
１９３  データバス
２００  フィニッシャー
２１０  本体
２１０ａ、２１０ｂ  搬送路
２１１〜２１３  搬送ローラー部
２２０  後処理部
２２１  排紙トレイ
【図１】
0006406285.tif 000002
【図２】
0006406285.tif 000003
【図３】
0006406285.tif 000004
【図４】
0006406285.tif 000005
【図５】
0006406285.tif 000006
【図６】
0006406285.tif 000007
【図７】
0006406285.tif 000008